【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
レンズ光路内に位置する軸を中心に回転可能な光学フィルタを有して構成されるカメラにおいて、
駆動源を有して前記レンズ光路内に進入した前記光学フィルタを前記レンズ光路内に位置する軸を中心に回転駆動するフィルタ回転手段と、
駆動源を有して前記レンズ光路に対して前記光学フィルタを進退移動させるフィルタ進退手段と、
を備えることを特徴とするカメラ。
【請求項２】
前記光学フィルタを通して被写界輝度を測定する測光手段と、
この測光手段による測光結果に応じて前記光学フィルタの目標回転位置を設定する目標回転位置設定手段と、
前記目標回転位置設定手段により設定された目標回転位置に前記光学フィルタを回転させるフィルタ回転制御手段と、
を有することを特徴とする請求項１に記載のカメラ。
【請求項３】
前記フィルタ回転手段の駆動源と、前記フィルタ進退手段の駆動源とが共用されており、前記駆動源の駆動力を前記フィルタ回転手段及び前記フィルタ進退手段に選択的に伝達する駆動力切換手段を有することを特徴とする請求項１に記載のカメラ。
【請求項４】
前記光学フィルタを通して被写界輝度を測定する測光手段と、
前記測光手段による測光結果に応じて前記フィルタ進退手段を作動させるフィルタ制御手段とを有することを特徴とする請求項３に記載のカメラ。
【請求項５】
前記目標回転位置設定手段は、前記フィルタ回転手段により前記光学フィルタを回転させたまま前記測光手段による測光を行わせ、測光結果が最小値となったときの前記光学フィルタの回転位置を目標回転位置として設定することを特徴とする請求項２に記載のカメラ。
【請求項６】
前記光学フィルタの効果度を選択的に設定するためのフィルタ効果設定手段を有しており、
前記目標回転位置設定手段は、前記フィルタ回転手段により前記光学フィルタを回転させたまま前記測光手段による測光を行わせ、測光結果が最大値および最小値となったときの前記光学フィルタの回転位置に基づいて、前記フィルタ効果設定手段により設定されたフィルタ効果度に応じた前記光学フィルタの目標回転位置を設定することを特徴とする請求項２又は５に記載のカメラ。
【請求項７】
前記フィルタ制御手段は、前記フィルタ回転手段により前記光学フィルタを回転させて前記測光手段による測光を行い、測光結果の最大値および最小値の差が所定値より小さいときは、前記フィルタ進退手段により前記光学フィルタを前記レンズ光路外に退避させることを特徴とする請求項４に記載のカメラ。
【請求項８】
前記フィルタ制御手段は、前記測光手段を通じて逆光状態であると判別したときは、前記フィルタ進退手段により前記光学フィルタを前記レンズ光路外に退避させることを特徴とする請求項４又は７に記載のカメラ。
【請求項９】
前記フィルタ制御手段は、前記光路内に進入した前記光学フィルタを前記フィルタ回転手段により回転させて前記測光手段による測光を行い、測光結果の最大値が所定値よりも小さいときは、前記フィルタ進退手段により前記光学フィルタを前記レンズ光路外に退避させることを特徴とする請求項４、７又は８に記載のカメラ。
【請求項１０】
レンズ光路に対して光学フィルタを進退移動させるフィルタ進退手段と、
前記光学フィルタを通じて被写界輝度を測定する測光手段と、
この測光手段による測光結果が所定値よりも小さいときに前記フィルタ進退手段により前記光学フィルタを前記レンズ光路から退避させるフィルタ制御手段と、
を有することを特徴とするカメラ。
【請求項１１】
近接撮影可能なレンズと、
このレンズの光路に対して偏光フィルタを進退移動させるフィルタ進退手段と、
閃光発光手段と、
近接撮影時において前記閃光発光手段を発光させる場合に、前記フィルタ進退手段により前記光学フィルタを前記レンズ光路内に進入させるフィルタ制御手段と、
を有することを特徴とするカメラ。
【請求項１２】
近接撮影可能なレンズと、
このレンズの光路に対して偏光フィルタを進退移動させるフィルタ進退手段と、
前記偏光フィルタを前記レンズ光路内に位置する軸を中心に回転させるフィルタ回転手段と、
閃光発光手段と、
近接撮影時において前記閃光発光手段を発光させる場合に、前記フィルタ回転手段により前記偏光フィルタを閃光発光による被写界からの反射光をカットする位置に回転させるフィルタ制御手段と、
を有することを特徴とするカメラ。
【請求項１３】
レンズ光路に対して進退可能な光学フィルタと、
被写体に対する測距結果に応じて前記レンズの焦点合わせ駆動を行う焦点調節手段と、
前記光学フィルタの前記光路に対する進退状態に応じて同一距離にある被写体に対する測距結果を異ならせる測距手段とを有することを特徴とするカメラ。
【請求項１４】
前記測距手段は、前記レンズ光路と異なる光路を通った光により測距動作を行うことを特徴とする請求項１３に記載のカメラ。
【請求項１５】
前記測距手段は、前記光学フィルタが前記光路に進入したときは、前記光学フィルタが前記レンズ光路から退避したときの測距結果に補正を加えることを特徴とする請求項１３に記載のカメラ。
【手続補正２】
【補正対象書類名】明細書
【補正対象項目名】００２０
【補正方法】変更
【補正の内容】
【００２０】
【課題を解決するための手段】
上記各目的を達成するため、カメラボディ部とレンズ鏡筒部とを有して構成されるカメラにおいて、カメラボディ部に、レンズ鏡筒部からのレンズ光路内に位置する軸（例えば、レンズ鏡筒部の光軸と略平行な軸）を中心に回転可能な光学フィルタと、電動モータ等を駆動源として偏光フィルタ等の光学フィルタを回転駆動するフィルタ回転手段とを収容することができる。
【手続補正３】
【補正対象書類名】明細書
【補正対象項目名】００２１
【補正方法】変更
【補正の内容】
【００２１】
すなわち、電動のフィルタ回転手段を設けることにより面倒な手動によるフィルタ回転操作を不要とし、しかもレンズ光軸に垂直な方向にスペースを取り易いカメラボディ部に光学フィルタとフィルタ回転手段とを設けることによりカメラシステムのコストアップやデザイン上の破綻をきたすことがないようにしている。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】変更
【補正の内容】
【００２５】
本願第１の発明では、レンズ光路内に位置する軸を中心に回転可能な光学フィルタを有して構成されるカメラにおいて、駆動源を有してレンズ光路内に進入した光学フィルタをレンズ光路内に位置する軸を中心に回転駆動するフィルタ回転手段と、駆動源を有してレンズ光路に対して光学フィルタを進退移動させるフィルタ進退手段とを備えている。
【手続補正８】
【補正対象書類名】明細書
【補正対象項目名】００２８
【補正方法】変更
【補正の内容】
【００２８】
そして、上記第１の発明のカメラには、光学フィルタを通して被写界輝度を測定する測光手段と、測光手段による測光結果に応じて光学フィルタの目標回転位置を設定する目標回転位置設定手段と、目標回転位置設定手段により設定された目標回転位置に光学フィルタを回転させるフィルタ回転制御手段とを設けるのが望ましい。また、光学フィルタを通じて被写界輝度を測定する測光手段と、この測光手段による測光結果に応じてフィルタ進退手段を作動させるフィルタ制御手段とを設けるのが望ましい。
【手続補正９】
【補正対象書類名】明細書
【補正対象項目名】００２９
【補正方法】変更
【補正の内容】
【００２９】
具体的には、目標回転位置設定手段により、光学フィルタを回転させて測光手段による測光を行わせ、測光結果が最小値となったときの光学フィルタの回転位置を目標回転位置として設定させる。また、光学フィルタの効果度を選択的に設定するためのフィルタ効果設定手段を設けるとともに、目標回転位置設定手段により、光学フィルタを回転させて測光手段による測光を行わせ、測光結果が最大値および最小値となったときの光学フィルタの回転位置に基づいてフィルタ効果設定手段により設定されたフィルタ効果度に応じた光学フィルタの目標回転位置を設定させる。これにより、適正なフィルタ効果が得られる位置に自動的にフィルタを回転させることが可能となり、容易に適正露出を得ることが可能になる。
また、フィルタ制御手段に、フィルタ回転手段により光学フィルタを回転させて測光手段による測光を行わせ、測光結果の最大値および最小値の差が所定値より小さいときはフィルタ進退手段により光学フィルタを上記レンズ光路外に退避させる。
【手続補正１０】
【補正対象書類名】明細書
【補正対象項目名】００３１
【補正方法】変更
【補正の内容】
【００３１】
また、フィルタ制御手段に、測光手段を通じて逆光状態であると判別したときに、フィルタ進退手段により光学フィルタを上記レンズ光路外に退避させる。
【手続補正１１】
【補正対象書類名】明細書
【補正対象項目名】００３３
【補正方法】変更
【補正の内容】
【００３３】
また、フィルタ制御手段に、上記レンズ光路内に進入した光学フィルタをフィルタ回転手段により回転させて測光手段による測光を行い、測光結果の最大値が所定値よりも小さいときはフィルタ進退手段により光学フィルタを上記レンズ光路外に退避させる。
【手続補正１２】
【補正対象書類名】明細書
【補正対象項目名】００３５
【補正方法】変更
【補正の内容】
【００３５】
また、本願第２の発明のカメラでは、レンズ光路に対して光学フィルタを進退移動させるフィルタ進退手段と、光学フィルタを通じて被写界輝度を測定する測光手段と、この測光手段による測光結果が所定値よりも小さいときにフィルタ進退手段により光学フィルタをレンズ光路から退避させるフィルタ制御手段とを設けている。
【手続補正１３】
【補正対象書類名】明細書
【補正対象項目名】００３７
【補正方法】変更
【補正の内容】
【００３７】
また、閃光発光手段を発光させて近接撮影以外の撮影を行うときに、フィルタ進退手段により光学フィルタをレンズ光路から退避させるようにしてもよい。
【手続補正１４】
【補正対象書類名】明細書
【補正対象項目名】００３９
【補正方法】変更
【補正の内容】
【００３９】
また、本願第３の発明のカメラでは、近接撮影可能なレンズと、このレンズの光路に対して偏光フィルタを進退移動させるフィルタ進退手段と、閃光発光手段と、近接撮影時において閃光発光手段を発光させる場合に、フィルタ進退手段により偏光フィルタを上記レンズ光路内に進入させるフィルタ制御手段とを設けている。
【手続補正１５】
【補正対象書類名】明細書
【補正対象項目名】００４２
【補正方法】変更
【補正の内容】
【００４２】
さらに、本願第４の発明のカメラでは、レンズの光路に対して進退可能な光学フィルタと、被写体に対する測距結果に応じてレンズの焦点合わせ駆動を行う焦点調節手段と、光学フィルタの上記光路に対する進退状態に応じて同一距離にある被写体に対する測距結果を異ならせる測距手段とを設けている。